(57)【要約】  ＴＶなどのＡ／Ｖ機器（２４）が、ユーザが、プログラム可能な双方向遠隔制御装置（１０）を使用して制御対象のコンポーネント（３８）の種類、メーカー、及び型番を選択するようにナビゲートできる一連のＧＵＩを提示する。このＧＵＩをナビゲートすることにより所望のコンポーネント（３８）が選択されると、ＴＶ（２４）が必要なコード60C5報を返送して、遠隔制御装置（１０）がコンポーネント（３８）と通信できるようにする。【選択図】図１
2011530770.tif 000002
【特許請求の範囲】
【請求項１】
遠隔制御装置（１０）から無線で受信したナビゲーション信号に応答して、ユーザが制御対象のコンポーネント（３８）を選択することをナビゲートできるようにする一連のグラフィックユーザインターフェイス（ＧＵＩ）を提示するように構成され、前記遠隔制御装置（１０）へ通信関連情報を送信することに応じて、前記遠隔制御装置が前記コンポーネント（３８）と通信できるようにする、
ことを特徴とするオーディオビデオ（Ａ／Ｖ）機器（２４）。
【請求項２】
前記Ａ／Ｖ機器（２４）がＴＶである、
ことを特徴とする請求項１に記載のＡ／Ｖ装置。
【請求項３】
ＧＵＩを通じてコンポーネント（３８）の種類をユーザに選択できるようにさせる、
ことを特徴とする請求項１に記載のＡ／Ｖ装置。
【請求項４】
ＧＵＩを通じてコンポーネント（３８）のメーカーをユーザに選択できるようにさせる、
ことを特徴とする請求項１に記載のＡ／Ｖ装置。
【請求項５】
ＧＵＩを通じてコンポーネント（３８）の型をユーザに選択できるようにさせる、
ことを特徴とする請求項１に記載のＡ／Ｖ装置。
【請求項６】
前記ＧＵＩがビデオディスプレイ（２６）上に提示される、
ことを特徴とする請求項１に記載のＡ／Ｖ装置。
【請求項７】
遠隔制御装置（ＲＣ）（１０）であって、
ポータブルハウジング（１２）と、
前記ハウジング（１２）内の無線双方向トランシーバ（１８）と、
前記ハウジング（１２）内のコンピュータ可読記憶媒体（１６）と、
前記トランシーバ（１８）及び前記記憶媒体（１６）と通信するように構成された前記ハウジング内のプロセッサ（１４）と、
を備え、前記プロセッサが、
制御対象のコンポーネント（３８）へコマンド信号を通信するためのコード情報をＡ／Ｖ機器（２４）から前記トランシーバ（１８）を介して受信するステップと、
前記コード情報を前記記憶媒体（１６）に記憶するステップと、
前記ＲＣ（１０）上のユーザ入力に応答して、前記コード情報を使用して前記コンポーネント（３８）を制御するステップと、
を含む前記ロジックを実行することを特徴とする遠隔制御装置（ＲＣ）（１０）。
【請求項８】
前記トランシーバ（１８）が赤外線トランシーバである、
ことを特徴とする請求項７に記載のＲＣ。
【請求項９】
前記トランシーバ（１８）が無線周波数トランシーバである、
ことを特徴とする請求項７に記載のＲＣ。
【請求項１０】
前記トランシーバ（１８）が超音波トランシーバである、
ことを特徴とする請求項７に記載のＲＣ。
【請求項１１】
前記プロセッサ（１４）が、オーディオ／ビデオ（Ａ／Ｖ）機器上の１又はそれ以上のグラフィックユーザインターフェイス（ＧＵＩ）を介して、前記ＲＣのユーザをナビゲートし、コンポーネント（３８）の種類を選択させるようプログラムされている、
ことを特徴とする請求項７に記載のＲＣ。
【請求項１２】
前記プロセッサ（１４）が、オーディオ／ビデオ（Ａ／Ｖ）機器上の１又はそれ以上のグラフィックユーザインターフェイス（ＧＵＩ）を介して、前記ＲＣのユーザをナビゲートし、コンポーネント（３８）のメーカーを選択させるようプログラムされている、
ことを特徴とする請求項７に記載のＲＣ。
【請求項１３】
前記プロセッサ（１４）が、オーディオ／ビデオ（Ａ／Ｖ）機器上の１又はそれ以上のグラフィックユーザインターフェイス（ＧＵＩ）を介して、前記ＲＣのユーザをナビゲートし、コンポーネント（３８）の型を選択させるようプログラムされている、
ことを特徴とする請求項７に記載のＲＣ。
【請求項１４】
遠隔制御装置（ＲＣ）（１０）とオーディオ／ビデオ（Ａ／Ｖ）機器（２４）との間に双方向リンクを確立するステップと、
前記リンクを使用して、前記ＲＣ（１０）のユーザに、前記Ａ／Ｖ機器（２４）上にグラフィックユーザインターフェイス（ＧＵＩ）を呼び出させるようにするステップと、
ユーザに、前記ＲＣ（１０）を使用して前記ＧＵＩからコンポーネント（３８）を選択させるようにするステップと、
前記Ａ／Ｖ機器（２４）から前記ＲＣ（１０）への前記リンクを介して前記コンポーネント（３８）に関する通信関連情報を送信するステップと、
を含むことを特徴とする方法。
【請求項１５】
前記Ａ／Ｖ機器（２４）において、前記通信関連情報に対する更新を広域ネットワークから受信するステップを含む、
ことを特徴とする請求項１４に記載の方法。
【請求項１６】
前記ＲＣ（１０）において、前記通信関連情報を前記ＲＣ（１０）上の少なくとも１つのモードセレクタ（２２）に自動的に関連付けるステップを含む、
ことを特徴とする請求項１４に記載の方法。
【請求項１７】
前記モードセレクタ（２２）の選択に応答して、前記通信関連情報を使用して前記コンポーネント（３８）へコマンド信号を送信する、
ことを特徴とする請求項１６に記載の方法。
【発明の詳細な説明】
【技術分野】
【０００１】
本発明は、一般に、ＴＶなどのオーディオビデオ装置を使用して、制御される機器の通信関連パラメータを遠隔制御装置にプログラムすることに関する。
【背景技術】
【０００２】
複数の装置を制御するためのプログラム可能な遠隔制御装置が提供されてきた。通常、このような遠隔制御装置は、各々が「ＴＶ」、「ディスクプレイヤ」、「パーソナルビデオレコーダ（ＰＶＲ）」などの制御しようとするコンポーネントに対応するモードボタンを含む。ユーザがモードボタンを切り替えると、遠隔制御装置は通信コードを含む装置のコマンドセットを切り替え、この結果、選択したコンポーネントの制御機能に対応するようになる。
【発明の概要】
【発明が解決しようとする課題】
【０００３】
ユーザは、通信関連パラメータを、より具体的には遠隔制御を意図するコンポーネントに関連する通信コードを手動で入力しなければならない。このコードは、遠隔制御装置が、制御対象の機器に理解されるコマンド信号を生成できるようにするために必要なものである。しかしながら、ユーザがコードを手動入力する必要があることは面倒かつ時間がかかることであり、また通常、ユーザは、コードが正しく入力されたかどうかについてのフィードバックを、関連するコンポーネントを制御しようとするまで（そしてこれがうまくいくか否かまで）受け取らないので分かりにくい場合もある。
【課題を解決するための手段】
【０００４】
オーディオビデオ（Ａ／Ｖ）機器が、遠隔制御装置から無線で受信したナビゲーション信号に応答して、ユーザが制御対象のコンポーネントを選択することをナビゲートできるようにする一連のグラフィックユーザインターフェイス（ＧＵＩ）を提示するように構成される。これに応じて、Ａ／Ｖ機器は、遠隔制御装置へ通信関連情報を送信して、遠隔制御装置がコンポーネントと通信できるようにする。
【０００５】
Ａ／Ｖ機器はＴＶとすることができる。非限定的な実施形態では、ＧＵＩを通じて、ユーザがコンポーネントの種類、コンポーネントのメーカー、コンポーネントの型を選択できるようにすることができる。
【０００６】
別の態様では、遠隔制御装置（ＲＣ）が、ポータブルハウジングと、ハウジング内の無線双方向トランシーバと、ハウジング内のコンピュータ可読記憶媒体と、ロジックを実行するためにトランシーバ及び記憶媒体と通信するように構成されたハウジング内のプロセッサとを有する。ロジックは、制御対象のコンポーネントへコマンド信号を通信するためのコード情報をＡ／Ｖ機器からトランシーバを介して受信するステップを含む。ロジックはまた、コード情報を記憶媒体に記憶し、ＲＣ上のユーザ入力に応答してコード情報を使用してコンポーネントを制御するステップも含む。
【０００７】
さらに別の態様では、方法が、遠隔制御装置（ＲＣ）とオーディオ／ビデオ（Ａ／Ｖ）機器との間に双方向リンクを確立するステップと、このリンクを使用して、ＲＣのユーザがＡ／Ｖ機器上にグラフィックユーザインターフェイス（ＧＵＩ）を呼び出すことができるようにするステップとを含む。方法はまた、ユーザがＲＣを使用してＧＵＩからコンポーネントを選択できるようにするステップも含む。コンポーネントに関する通信関連情報は、Ａ／Ｖ機器からＲＣへのリンクを介して送信される。
【０００８】
同様の参照番号が同様の部分を示す図面を参照すれば、本発明の詳細をその構造及び動作の両方に関して最も良く理解することができる。
【図面の簡単な説明】
【０００９】
【図１】本原理によるシステム例を示すブロック図である。
【図２】本原理を示す、Ａ／Ｖ機器上の一連の非限定的なスクリーンショットである。
【図３】本原理に基づいて実行できる非限定的なロジックの一部のフローチャートである。
【発明を実施するための形態】
【００１０】
最初に図１を参照すると、遠隔制御装置１０が、プロセッサ１４と、以下に限定されるわけではないが、ディスク記憶装置、固体記憶装置などの有形コンピュータ可読記憶媒体１６とを保持するポータブルハンドヘルドハウジング１２を含む。記憶媒体１６は、以下に限定されるわけではないが、コンポーネントの通信コード、及び本明細書に記載のロジックに基づいてプロセッサ１４により実行可能なロジックなどのデータを有することができる。
【００１１】
プロセッサ１４は、ハウジング１２内の無線トランシーバ１８と通信して無線信号を送受信する。トランシーバ１８は、赤外線トランシーバ、無線周波数トランシーバ、超音波トランシーバ、又はこれらのいずれかの組み合わせなどであってもよい。プロセッサ１４は、各々がＰＶＲ、ディスクプレイヤ、音楽プレイヤ、ＴＶなどの具体的な制御されるコンポーネントタイプを表すユーザ操作用キーパッド２０からの及び１又はそれ以上のモードボタン２２からの入力を受け取ることができる。
【００１２】
遠隔制御装置１０は、トランシーバ１８を使用して、標準画質又は高画質のいずれかのブラウン管、フラットパネルディスプレイなどのビデオディスプレイ２６を備えたオーディオビデオ（Ａ／Ｖ）機器２４と通信することができる。Ａ／Ｖ機器２４はＴＶにより具体化することができ、この場合、ディスプレイ２６上に提示されるＴＶ番組を受信するためのチューナ２８を含むことができる。ＴＶプロセッサ３０は、以下に限定されるわけではないが、ディスク記憶装置、固体記憶装置などの有形コンピュータ可読記憶媒体３２を含む、Ａ／Ｖ機器２４内の様々なコンポーネントと通信することができる。記憶媒体３２は、以下に限定されるわけではないが、コンポーネントの通信コード、及び本明細書に記載のロジックに基づいてプロセッサ１４により実行可能なロジックなどのデータを有することができる。このコードは、製造中に媒体３２内にロードすることができ、所望の場合、インターネットなどのネットワークから、以下に限定されるわけではないが、モデムなどの広域ネットワーク（ＷＡＮ）インターフェイス３４を介してアップデートを受信することにより定期的に更新することができる。
【００１３】
ＴＶプロセッサ３０はまた、Ａ／Ｖ機器２４内に存在して遠隔制御装置１０のトランシーバ１８を補完するように構成された無線トランシーバ３６と通信することもできる。このようにして、制御対象の１又はそれ以上のコンポーネント３８を制御するための通信コードをＡ／Ｖ機器２４から遠隔制御装置３０へ送信することができる。制御対象のコンポーネントは、以下に限定されるわけではないが、ＰＶＲ、ビデオディスクプレイヤ及び／又はレコーダ、音楽プレイヤ、ゲーム機などを含むことができ、通常、これらの各々は、コンピュータ可読記憶媒体４２にアクセスするコンポーネントプロセッサ４０と、遠隔制御装置１０のトランシーバ１８からコマンドを受信するための受信機４４とを含む。
【００１４】
図２は、本原理による、Ａ／Ｖ機器２４のディスプレイ２６上に提示することができる非限定的なグラフィックユーザインターフェイス（ＧＵＩ）の一連のスクリーンショットである。第１のスクリーンショットに示すように、（通常は様々なＴＶの設定を確立するための）「設定」、及び「遠隔制御装置をプログラム」又はこの趣旨の用語及び／又は記号を含む様々な選択肢をリストすることができるトップレベルメニューを提示することができる。他のトップレベルメニュー項目を提供することもできる。第１のスクリーンショットに示すように、ユーザは、画面カーソルを動かして選択結果を示すための遠隔制御装置１０上のナビゲーションキーなどを使用して「遠隔制御装置をプログラム」を選択している。
【００１５】
これにより、ＴＶプロセッサ３０が、第２のスクリーンショットに示す次に低いレベルのＧＵＩを自動的に表示するようになる。このＧＵＩには、ユーザが遠隔制御装置内にプログラムしたいと思うコンポーネントを意味する「機器を選択」という表題を付けることができ、図示のように様々なジャンルのコンポーネントをリストすることができる。
【００１６】
一例として、ユーザが第２のスクリーンショット内で「ＰＶＲ」を選択したと仮定した場合、ＴＶプロセッサ３０は、図２の第３のスクリーンショットに示す、メーカーのリストを提示することができる次のサブメニューを自動的に表示することができる。一例として、「ＳＯＮＹ」を選択したと仮定した場合、ＴＶプロセッサ３０は、図２の第４のスクリーンショットに示す、選択したメーカーのＰＶＲの型のリストを提示することができる次のサブメニューを自動的に表示することができる。
【００１７】
一例として、「ｍｏｄｅｌ１」を選択したと仮定した場合、ここで図３を参照すると、ブロック４６において、ＴＶプロセッサがＴＶの記憶媒体３２などにアクセスして、選択したコンポーネントに関連する（単複の）通信コードを検索する。次にブロック４８において、ＴＶプロセッサ３０が、この（単複の）コードがＡ／Ｖトランシーバ３６から遠隔制御装置のトランシーバ１８へ送信されるようにする。ブロック５０において、さらに遠隔制御装置のプロセッサ１４が、この（単複の）コードを遠隔制御装置の記憶媒体１６に記憶して、ブロック５２において、コンポーネントを制御するために関連するモードボタン２２が選択された場合に、プロセッサ１４がコンポーネントへのシグナリングにおいて正しいコードにアクセスするようにする。
【００１８】
所望の場合、及び再び図２を参照すると、（単複の）コードがＡ／Ｖ機器２４から遠隔制御装置１０へ送信された後に、遠隔制御装置が正常にプログラムされたことを示す第５のＧＵＩをＡ／Ｖのディスプレイ２６上に提示することができる。このＧＵＩは、有効なコードを受信したという遠隔制御装置１０からの確認応答信号に応答して提示することができる。その後、ＧＵＩは、図１に示すコンポーネント３８などのコンポーネントを制御しようと試みることによりプログラミングをテストするようにユーザを促すことができる。ＧＵＩはまた、図示のように遠隔制御装置１０上で正しいモードを選択するようにユーザを促すこともできる。さらに、Ａ／Ｖ機器２４と遠隔制御装置１０が双方向通信を行うことにより、ディスプレイ２６が、遠隔制御装置１０上で現在選択されている実際のモードを表示するようにすることができる。
【００１９】
本明細書では、特定の「Ａ／Ｖ機器を使用して、制御される機器の通信関連パラメータを送信することによる遠隔制御装置のプログラム」を図示し詳細に説明したが、本発明に含まれる主題は特許請求の範囲によってのみ限定されると理解されたい。
【符号の説明】
【００２０】
１０  遠隔制御装置
１２  ハウジング
１４  プロセッサ
１６  記憶媒体
１８  トランシーバ
２０  キーパッド
２２  モードボタン
２４  オーディオ／ビデオ機器
２６  ディスプレイ
２８  チューナ
３０  プロセッサ
３２  記憶媒体
３４  ＷＡＮインターフェイス
３６  トランシーバ
３８  制御対象のコンポーネント（ＰＶＲなど）
４０  プロセッサ
４２  記憶媒体
４４  受信機
【図１】
2011530770.tif 000003
【図２】
2011530770.tif 000004
【図３】
2011530770.tif 000005
【国際調査報告】
2011530770.tif 000006
2011530770.tif 000007